(57)【要約】      （修正有）【課題】原稿を読み取るスキャナで、操作情報の記されたコードを読み取ることで操作される電子機器の提供。【解決手段】コード化情報を設置するための第一の原稿台と、原稿を設置するための第二原稿台と、前記読み取り部で読み取ったコード化情報を解析する解析部と、原稿にどのような操作を行うのかというガイダンス情報を蓄積する記憶部と、前記記憶部に蓄積されたガイダンス情報を表示する表示部と制御部を有し、前記第一原稿台に設置されたコード化情報が読み取られると、前記解析部によってコード化情報を解析させ、解析されたコード化情報に対応するガイダンス情報を前記記憶部に蓄積させ、さらに前記記憶部からガイダンス情報を読み出して前記表示部に表示することを特徴とする電子機器。【選択図】図１
2007079239.tif 000002
【特許請求の範囲】
【請求項１】
コード化情報を設置するための第一の原稿台と、
原稿を設置するための第二原稿台と、
第一原稿台に置かれたコード化情報と第二原稿台に置かれた原稿を、読み取ることができる読み取り部と、
前記読み取り部で読み取ったコード化情報を解析する解析部と、
原稿にどのような操作を行うのかというガイダンス情報を蓄積する記憶部と、
前記記憶部に蓄積されたガイダンス情報を表示する表示部と、
操作部と、
前記読み取り部が、前記操作部によって前記コード化されたガイダンス情報を読み取るように指示されたとき、前記第一原稿台に設置されたコード化情報を読み取り、前記操作部によって原稿を読み取るように指示されたとき、前記第二原稿台に設置された原稿を読み取るように制御する制御部を有し、
さらに前記制御部は、前記第一原稿台に設置されたコード化情報が読み取られると、前記解析部によってコード化情報を解析させ、解析されたコード化情報に対応するガイダンス情報を前記記憶部に蓄積させ、さらに前記記憶部からガイダンス情報を読み出して前記表示部に表示することを特徴とする電子機器。
【請求項２】
請求項１に記載の電子機器において、
前記コード化情報には、あらかじめそれと対になるガイダンス情報が決定されており、前記解析部はその決定に基づいてコード化情報を解析する機構をもつことを特徴とする電子機器。
【請求項３】
請求項１に記載の電子機器において、
前記読み取り部は、第一原稿台に設置されたコード化情報と、第二原稿台に設置された原稿を別々に読み取ることができる機構をもつことを特徴とする電子機器。
【発明の詳細な説明】
【技術分野】
【０００１】
本発明は、電子機器に関する。
【背景技術】
【０００２】
マルチファンクションプリンターには、普通のコピー機能の中だけでもシールコピーやフィルムコピーなどの多彩なモードが用意されており、そのほかにもスキャナ機能、プリンタ機能、ファックス機能が搭載されている。このため、原稿に対してどのような動作をするのか設定するのが難しい。さらに、各機能についての設定（ファックス機能における発信方法や電話番号登録など）も細かく存在しており、各種設定を行うのも時間がかかる。
【０００３】
本体に付属しているテンキーを使用した操作が一般的であるが、その多くはツリー状の構造になっており、目的の操作がツリーのどこにあるのかが分かりづらく、そこまでたどり着くのに時間がかかる。また、一度行った操作をもう一度再現しなければならないときは、同じ手順を繰り返す必要がある。
【０００４】
マークシートで設定するものがあるが（例えば、特許文献１参照）、マークを塗りつぶしたり、消したり、スキャナ機構に原稿を置く以外の動作が多い。さらに、マークシートを読み取らせてから原稿をスキャナ部分におきなおさなければならず、置きなおした時点で走査ミスに気がついた場合、再度マークシートへの記入を行う必要があり、修正するの時間がかかるという問題点がある。
【０００５】
バーコードリーダーで設定するものがあるが（例えば、特許文献２参照）、この発明において、読み取りのための機構に赤外線を用いたバーコードリーダーが使用されている。スキャナの他に、センサが必要になるので、製品の原価が上がってしまう。
【特許文献１】特開２００３−２６３６１４号公報
【特許文献２】特開平１０−２２４５８２号公報
【発明の開示】
【発明が解決しようとする課題】
【０００６】
このように、従来の方法では、同じ操作を繰り返す場合には、同じ手順を繰り返す必要があったり、原稿とマークシートの入れ替えが必要であったり、専用の読み取り機を用いなければならないなどの問題があった。
【０００７】
本発明は、迅速に分かりやすい手段で制御が行え、かつ必要最小限のセンサとキーで構成された電子機器を提供することを目的とする。
【課題を解決するための手段】
【０００８】
本発明の目的を達成するために、次のような構成をとった。
【０００９】
媒体上に記されたアナログ情報を読み取り、その情報に対しての操作を実行する電子機器に、次のような機能を持たせる。まず、読み取る部分を、コード化情報を読み取る部分１と、アナログ情報を読み取る部分２に分け、それぞれを別々に読み取ることのできる読み取り機構３を備える。操作部は、コード化情報を読むための操作部４と、媒体上に記されたアナログ情報を読み込むための操作部５と、読み取ったアナログ情報の制御情報を操作できる操作部６とで構成する。動作機構７はコード化情報で決定されたガイダンス情報や操作部６で決定された制御情報に従って、原稿への操作を実行する。制御情報は表示部８によって外部に示され、操作部４，５，６の情報は認識部９によってＣＰＵにわたされる。コード化情報からガイダンス情報を特定するのは解析部１０であり、アナログ情報から変換されたデジタル情報に対して、操作を行う際の処理をするのが画像処理部１１である。ＲＯＭ１２は画像処理やその他動作機構のためのパラメータ等が記録されており、記憶領域１３が保持するのは、アナログ情報から読み取り部によって変換されたデジタル情報に対しての操作情報である。ＣＰＵ１４は、各機関を制御する。
【００１０】
すなわち、本発明の技術内容は以下の構成を備えることにより前記課題を解決できた。
【００１１】
（１）コード化情報を設置するための第一の原稿台と、原稿を設置するための第二原稿台と、第一原稿台に置かれたコード化情報と第二原稿台に置かれた原稿を、読み取ることができる読み取り部と、前記読み取り部で読み取ったコード化情報を解析する解析部と、原稿にどのような操作を行うのかというガイダンス情報を蓄積する記憶部と、前記記憶部に蓄積されたガイダンス情報を表示する表示部と、操作部と、前記読み取り部が、前記操作部によって前記コード化されたガイダンス情報を読み取るように指示されたとき、前記第一原稿台に設置されたコード化情報を読み取り、前記操作部によって原稿を読み取るように指示されたとき、前記第二原稿台に設置された原稿を読み取るように制御する制御部を有し、さらに前記制御部は、前記第一原稿台に設置されたコード化情報が読み取られると、前記解析部によってコード化情報を解析させ、解析されたコード化情報に対応するガイダンス情報を前記記憶部に蓄積させ、さらに前記記憶部からガイダンス情報を読み出して前記表示部に表示することを特徴とする電子機器。
【発明の効果】
【００１２】
本発明によれば、キーの数と機能を最小限に絞ることによって、キーの機能を覚える手間をはぶく。
【００１３】
あらかじめ用意されているコード化情報（例えばバーコード）を、アナログ情報（原稿）にたいしての操作を決定することに用いることで、マークシートを記入する操作上の煩わしさを少なくする。また、それによって操作にかかる時間も短縮される。また、マークシート方式で記入ミスがあった場合、いったんマークシートへの記入を削除してから記入をやり直すか、マークシートをプリントアウトしなおしてから記入をやり直さなければならない。本発明では、正しいバーコードを選ぶだけである。
【００１４】
キー入力の場合、設定中に一度キャンセルしてしまうと、もう一度同じ操作を再現するのに時間がかかる。この方式では、もう一度同じバーコードを読み取らせれば操作を再現することができる。
【００１５】
バーコードリーダーを本体から外し、読み取りのための機構をスキャナセンサーに限定させることで、製品の原価を下げる。
【００１６】
バーコード読み取り専用のボタンをつけることで操作を単純にする。
【発明を実施するための最良の形態】
【００１７】
以下本発明を実施するための最良の形態を、実施例により詳しく説明する。
【実施例】
【００１８】
図１に、本発明のスキャナ装置部分の実施例を示す。
【００１９】
原稿読み取り台１０２にバーコード読み取り専用窓１０３が隣接している。
【００２０】
図２は操作部であり、２０２はバーコード読み取り開始キー、２０３は実行キー、２０４はＬＣＤの操作キー、２０５はＬＣＤ表示部である。
【００２１】
図４はシステムの略図であり、図５は実際に操作を行う際のフローチャートである。
【００２２】
図３−１、３−２は実際に操作に用いる簡略化ガイドである。これは、操作専用のバーコードのみが添付されている小冊子（図３−１）もしくはシート状のもの（図３−２）であり、マニュアルは別に存在する。
【００２３】
図３に示すバーコードが記載されたガイドには、バーコードを設置する方向を間違えないような目印がある。
【００２４】
図４を参照しながら、各システムについて説明する。
【００２５】
読み取り部分１は、バーコード読み取り専用窓である。これは、図１の１０３に対応している。ここにコピーしたい原稿などを置いても、コピー動作やスキャン動作など実際の動作では無視される。
【００２６】
読み取り部分２は、原稿専用の読み取り部分である。これは、図１の１０２に対応している。ここに、操作を行いたい原稿をセットする。この部分に操作用バーコードを置いても、バーコードとして認識されない。
【００２７】
読み取り部３は、スキャンユニットである。ＣＰＵ１４から操作用バーコード読み取り命令が送られた場合は読み取り部１のみをスキャンし、原稿に対しての操作が命令されたときは読み取り部２のみをスキャンする。
【００２８】
操作部４は、バーコード読み取りキーである。図１の２０２に相当する。これが押されると、キー認識部が変化し、それを読み取ったＣＰＵ１４はスキャナにバーコード読み取り窓１０３の中にある情報だけを読むよう命令を出し、それを解析部１０に渡す。また、本体動作中にこのキーを押下すると、読み取り動作を中断することができる。
【００２９】
操作部５は、原稿への動作実行キーである。図１中の２０３にあたる。ＣＰＵ１４は操作部５の指示に対応して、読み取り部３に原稿台１０３に設置された原稿を読み込ませて画像処理部１１に渡し、それとともに記憶領域１３にある操作情報から原稿に対しての操作情報を画像処理部１１に渡し、画像処理部１１はそれらの情報から操作実行のための情報を作成して、それを動作機構７に送信する。
【００３０】
操作部６は、原稿への操作情報のための記憶領域１３を、バーコード以外で操作するために存在する。図１中の２０４にあたる。これが押されると、ＣＰＵはその操作に応じて記憶領域１３の内容を変化させる。
【００３１】
動作機構７は、ＣＰＵ１４から指定されたとおりに、原稿に対しての動作を行う。
【００３２】
表示部８は、記憶領域１３で保持している画像に対する処理の情報を表示している。図２中の２０５にあたる。記憶領域１３に何らかの変更があった際にはＣＰＵ１４からその情報が届き、表示される情報は更新される。
【００３３】
キー認識部９は、どのキーがどのように押されたか逐一判断し、その結果をＣＰＵ１４に送信する。
【００３４】
解析部１０は、ＣＰＵ１４から送られてきたバーコード画像の結果を解析し、どのような操作情報に対応したバーコードなのかを判断する。ＣＰＵ１４は結果を記憶領域１３に送信する。
【００３５】
画像処理部１１は、画像データを受け取ったこの画像データに対しどのような処理を行えばよいのかという情報を記憶領域１３から読み出し、そこに記された処理を画像データにほどこし、各実行部に送信する。
【００３６】
ＲＯＭ１２には、さまざまな動作に対して必要となってくるパラメータが保存されている。画像処理の際の補正値や、パルスモーター駆動のためのパルス波形などがこれに当たる。
【００３７】
記憶領域１３は、操作情報を記憶しておく領域である。これは、操作部６からの情報や、解析部１０からの情報によって更新される。
【００３８】
ＣＰＵ１４は、各機関をデータ受け渡しや動作などを制御する。
【００３９】
次に、図５に示すフローチャートを参照しながら、実際に操作するにあたってのフローを説明する。
【００４０】
ＣＰＵ１４はいずれかの操作キーが押されることを待ち（ステップＳ５０２）、どのキーが押されたかを、キー認識部９を通して検知する（ステップＳ５０３）。
【００４１】
このとき押されたキーがバーコード読み取りキー２０２であった場合（ステップＳ５０４）、ＣＰＵはスキャナに命令を出し、バーコード読み取り窓１０３の情報を読み込む（ステップＳ５０５）。
【００４２】
ＣＰＵ１４は読み取った結果を解析部１０に渡し、解析部１０は情報を読み込み、どんなバーコードが置かれているか判断する（ステップＳ５０８）。この結果、窓１０３に何もなかった場合、ガイドに記載されている以外のバーコードが検出された場合、バーコードが誤った方向にセットされていた場合は、解析部１０はエラーメッセージをＣＰＵ１４に送信し、表示部にエラーメッセージを表示させる（ステップＳ５１０）。結果が原稿に対しての操作情報に対応していた場合、ＣＰＵ１４はその情報を記憶領域１３に書き込む（ステップＳ５０９）。
【００４３】
記憶領域１３が変更されると、ＣＰＵ１４はそれを判断し、表示部８の内容を、記憶領域１３の内容に対応させて変更させる（ステップＳ５１３）。
【００４４】
検知したキーが操作部６（操作キー２０４）だった場合（ステップＳ５０６）、ＣＰＵ１４は操作がどのようなものか判断し、それに対応して記憶領域１３の情報を変更する。
【００４５】
検知したキーが操作部５（実行キー２０３）だった場合（ステップＳ５０７）、ＣＰＵ１４は記憶領域１３より原稿に対しての実行情報を受け取り、実行のための画像処理を画像処理部１１にさせて、最後に実行部７に渡す（ステップＳ５１２）。
【００４６】
バーコード読み取り実行中、もしくは原稿に対しての動作を実行中（ステップＳ６０１）に、何らかのキーが押された場合（ステップＳ６０２）、ＣＰＵはそれがどのキーであるか判断する（ステップＳ６０３）。それが操作部４であった場合（ステップＳ６０４）、ＣＰＵは動作機構７に中断命令を出し、本体はその動作を中断する（ステップＳ６０５）。押されたキーが操作部４以外であった場合、何の状態も変化はしない。
【００４７】
さらに具体的な実施例として、ユーザーが「シールプリント」をコピーメニュー一覧から選択し、実行するまでの手順を示す。
【００４８】
ユーザーはバーコード付きガイドから、シールプリントのバーコードを選択し、スキャナの蓋を開き、バーコード読取専用窓１０３に設置する。
【００４９】
シールプリントを行いたい原稿を原稿台１０２に設置し、スキャナの蓋を閉じる。
【００５０】
バーコード読み取りキー２０２を押下する。
【００５１】
ＣＰＵ１４はキー２０２が押されたことを判断し、スキャナユニットに窓１０３の情報だけを読み取るように指示を出す。
【００５２】
ＣＰＵ１４は読み取られた情報を解析部１０に送信し、解析部１０はそれがシールプリントのバーコードだと判断する。この結果が記憶領域１３に送信され、結果表示部８（ＬＣＤ２０５）はシールプリントの操作画面となる。
【００５３】
ユーザーはここで、ＬＣＤ２０５の画面を確認し、シールプリントの操作画面になっているかどうか判断する。もし操作画面がシールプリントでない場合は、ユーザーが正しいバーコードを設置していなかったことになるので、ここで正しいバーコードに入れ替てもう一度バーコード読み取りキーを押すことで、シールプリントの操作画面に入ることができる。
【００５４】
シールプリントの操作画面に入った後、ユーザーは操作キー２０４で印刷枚数や濃度などを設定する（上下キーで印刷枚数、左右キーで濃度、のように設定する）。
【００５５】
ＣＰＵ１４は、操作キー２０４がどのように押されたかを判定し、記憶領域１３を変更する。これにより、表示部８に表示してある、印刷枚数や濃度の設定も変更される。
【００５６】
最後に、ユーザーが操作実行キー２０３を押下することで、シールプリントが実行される。シールプリント実行中に、バーコード読み取りキーが押下されると、シールプリントは中断される。
【図面の簡単な説明】
【００５７】
【図１】本発明のスキャナ装置部分を示す図
【図２】操作部を示す図
【図３】３−１はバーコードつき取扱説明書を示す図、３−２はバーコードつきガイドを示す図
【図４】本発明のシステムの概略図
【図５】キー操作を説明するフローチャート
【図６】操作実行キャンセル動作を説明するフローチャート
【符号の説明】
【００５８】
１０１  スキャナ部
１０２  原稿台
１０３  バーコード専用読み取り窓
２０１  操作盤
２０２  バーコード読み取り開始キー
２０３  操作実行キー
２０４  操作キー
２０５  表示部
【図１】
2007079239.tif 000003
【図２】
2007079239.tif 000004
【図３】
2007079239.tif 000005
【図４】
2007079239.tif 000006
【図５】
2007079239.tif 000007
【図６】
2007079239.tif 000008